(57)【要約】【課題】家庭用薄葉紙を容易に取出部に挿入することができる家庭用薄葉紙収納容器を提供する。【解決手段】開口部１１ａを有し、内側に家庭用薄葉紙Ｐを収納する容器本体１１と、前記開口部を閉塞するように前記容器本体に着脱自在に取り付けられ、前記容器本体に収納された家庭用薄葉紙を取り出すための取出部２３１が形成された蓋体２１と、を備えた家庭用薄葉紙収納容器２００であって、前記蓋体は、前記容器本体に取り付けられた状態で前記家庭用薄葉紙の取り出し方向に貫通した貫通口２２２ａが形成された貫通部２２２を有する蓋体本体２２と、前記蓋体本体の前記貫通部に着脱自在に取り付けられ、前記取出部を構成する取出部材２３と、を備え、前記取出部材は、前記蓋体本体から取り外された状態で、帯状に展開可能に構成されるとともに、ロール状に丸められた状態で前記蓋体本体に取り付けられる。【選択図】図８
2010047325.tif 000002
【特許請求の範囲】
【請求項１】
開口部を有し、内側に家庭用薄葉紙を収納する容器本体と、前記開口部を閉塞するように前記容器本体に着脱自在に取り付けられ、前記容器本体に収納された家庭用薄葉紙を取り出すための取出部が形成された蓋体と、を備えた家庭用薄葉紙収納容器であって、
前記蓋体は、
前記容器本体に取り付けられた状態で前記家庭用薄葉紙の取り出し方向に貫通した貫通口が形成された貫通部を有する蓋体本体と、
前記蓋体本体の前記貫通部に着脱自在に取り付けられ、前記取出部を構成する取出部材と、
を備え、
前記取出部材は、前記蓋体本体から取り外された状態で、帯状に展開可能に構成されるとともに、ロール状に丸められた状態で前記蓋体本体に取り付けられることを特徴とする家庭用薄葉紙収納容器。
【請求項２】
前記貫通口は、前記容器本体側から反対側に漸次縮径する形状となっていることを特徴とする請求項１に記載の家庭用薄葉紙収納容器。
【請求項３】
前記取出部材の長手方向に沿った一方の縁部が鋸歯形状となっていることを特徴とする請求項１又は２に記載の家庭用薄葉紙収納容器。
【発明の詳細な説明】
【技術分野】
【０００１】
本発明は、ウェットシート等の家庭用薄葉紙を収納する家庭用薄用紙収納容器に関する。
【背景技術】
【０００２】
従来、家屋の床やトイレ、或いは人体などを拭くための家庭用薄葉紙を収納する家庭用薄葉紙収納容器が知られている。
【０００３】
このような家庭用薄葉紙収納容器として、例えば、蓋体に設けられた取出孔の孔壁の上端部から下端部にわたって四本の切込みを放射線状に形成した容器が知られている（特許文献１参照）。この容器では、取出孔から家庭用薄葉紙を引き出すと、孔壁と切込みによって家庭用薄葉紙が摩擦抵抗を受け、ミシン目で後続のウェットシートと切断分離される。
また、例えば、山高帽子状弾性部材の頭部の先端に、ウェットティッシュの引き出し穴を備え、この頭部を蓋体に設けられた穴の内側から嵌入して固定した容器が知られている（特許文献２参照）。
【０００４】
ところで、中身の詰め替え時や、次に取り出す家庭用薄葉紙が取出部において保持されずに容器内部に落ちてしまった場合には、使用者が、家庭用薄葉紙の一枚目を取出部の内側から外側に通す必要がある。
しかしながら、上記特許文献１及び特許文献２の容器では、蓋体に比べて取出部が小さく、蓋体を持ちながら家庭用薄葉紙を取出部に挿入するのが困難であるという問題があった。
【０００５】
そこで、蓋体に形成したハウジングに、紙布取出し用口栓を取り付けた容器が知られている（特許文献３参照）。この容器では、中身の詰め替えに際して、蓋体から取出し用口栓を取り外し、取出し用口栓を手に持ちながら家庭用薄葉紙を取出部に挿入する作業を行うことができるため、蓋体を手に持ちながら家庭用薄葉紙を取出部に挿入する作業を行う場合と比較して作業の容易化を図ることができる。
【先行技術文献】
【特許文献】
【０００６】
【特許文献１】特開２０００−５１１１７号公報
【特許文献２】実公平７−１２３１０号公報
【特許文献３】実願平５−２９９３６号公報
【発明の概要】
【発明が解決しようとする課題】
【０００７】
しかしながら、上記特許文献３のように、取出し用口栓が蓋体本体から取り外し可能な場合であっても、取出部としての穴が小さいため、家庭用薄葉紙を穴に通しづらく、家庭用薄葉紙を取出部に挿入する作業が困難であることに変わりはない。
【０００８】
そこで、本発明の課題は、家庭用薄葉紙を容易に取出部に挿入することができる家庭用薄葉紙収納容器を提供することである。
【課題を解決するための手段】
【０００９】
上記課題を解決するため、請求項１に記載の発明は、開口部を有し、内側に家庭用薄葉紙を収納する容器本体と、前記開口部を閉塞するように前記容器本体に着脱自在に取り付けられ、前記容器本体に収納された家庭用薄葉紙を取り出すための取出部が形成された蓋体と、を備えた家庭用薄葉紙収納容器であって、
前記蓋体は、
前記容器本体に取り付けられた状態で前記家庭用薄葉紙の取り出し方向に貫通した貫通口が形成された貫通部を有する蓋体本体と、
前記蓋体本体の前記貫通部に着脱自在に取り付けられ、前記取出部を構成する取出部材と、
を備え、
前記取出部材は、前記蓋体本体から取り外された状態で、帯状に展開可能に構成されるとともに、ロール状に丸められた状態で前記蓋体本体に取り付けられることを特徴とする。
【００１０】
請求項２に記載の発明は、請求項１に記載の家庭用薄葉紙収納容器において、前記貫通口は、前記容器本体側から反対側に漸次縮径する形状となっていることを特徴とする。
【００１１】
請求項３に記載の発明は、請求項１又は２に記載の家庭用薄葉紙収納容器において、前記取出部材の長手方向に沿った一方の縁部が鋸歯形状となっていることを特徴とする。
【発明の効果】
【００１２】
請求項１に記載の発明によれば、家庭用薄葉紙収納容器において、開口部を有し、内側に家庭用薄葉紙を収納する容器本体と、開口部を閉塞するように容器本体に着脱自在に取り付けられ、容器本体に収納された家庭用薄葉紙を取り出すための取出部が形成された蓋体と、が備わり、蓋体には、容器本体に取り付けられた状態で家庭用薄葉紙の取り出し方向に貫通した貫通口が形成された貫通部を有する蓋体本体と、蓋体本体の貫通部に着脱自在に取り付けられ、取出部を構成する取出部材と、が備わる。また、取出部材は、蓋体本体から取り外された状態で、帯状に展開可能に構成されるとともに、ロール状に丸められた状態で蓋体本体に取り付けられる。
即ち、家庭用薄葉紙を取り出すための取出部を構成する取出部材は、蓋体本体から取り外し可能であり、更に、蓋体本体から取り外された状態で帯状に展開可能であるとともに、ロール状に丸められた状態で蓋体本体に取り付けられる。したがって、蓋体本体から取り外した取出部材を帯状に展開して、展開された取出部材に家庭用薄葉紙を配置した後に、取出部材をロール状に丸めて蓋体本体に取り付けることにより、家庭用薄葉紙が取出部に挿通された状態とすることができる。よって、取出部の穴が小さい場合であっても、家庭用薄葉紙を容易に取出部に挿入することができる。
【００１３】
請求項２に記載の発明によれば、請求項１に記載の発明の効果が得られるのは無論のこと、貫通口は、容器本体側から反対側に漸次縮径する形状となっている。
したがって、ロール状に丸めた取出部材を蓋体本体に容器本体側から取り付けた後に、家庭用薄葉紙を引き出す際、取出部材を貫通口で係止させることができることとなって、貫通口から家庭用薄葉紙のみを取り出すことができる。よって、取出部材の貫通部への固定が容易となり、家庭用薄葉紙収納容器の使い勝手が向上することとなる。
【００１４】
請求項３に記載の発明によれば、請求項１又は２に記載の発明の効果が得られるのは無論のこと、取出部材の長手方向に沿った一方の縁部が鋸歯形状となっている。
したがって、家庭用薄葉紙を引き出す際に、鋸歯形状の縁部によって家庭用薄葉紙が摩擦抵抗を受け、後続の家庭用薄葉紙を好適に保持することができる。
【図面の簡単な説明】
【００１５】
【図１】本発明を適用した好適な実施形態として例示する家庭用薄葉紙収納容器を正面上方から見た斜視図である。
【図２】図１におけるXI−XI断面を含む蓋体の横断面図である。
【図３】ロール状に丸められた取出部材の斜視図である。
【図４】展開された状態の取出部材を示す図である。
【図５】図２の蓋体において、蓋体本体から取出部材が取り外された状態を示す図である。
【図６】実施形態の家庭用薄葉紙収納容器における取出部に家庭用薄葉紙を挿通させる作業を説明するための図である。
【図７】実施形態の家庭用薄葉紙収納容器における取出部に家庭用薄葉紙を挿通させる作業を説明するための図である。
【図８】実施形態の家庭用薄葉紙収納容器における取出部に家庭用薄葉紙を挿通させる作業を説明するための図である。
【図９】実施形態の家庭用薄葉紙収納容器における取出部に家庭用薄葉紙を挿通させる作業を説明するための図である。
【発明を実施するための形態】
【００１６】
以下に、図面を参照して、本発明に係る家庭用薄葉紙収納容器の具体的な態様を詳細に説明する。ただし、発明の範囲は、図示例に限定されない。
【００１７】
本発明に係る家庭用薄葉紙収納容器の実施形態について説明する。
図１は、本発明を適用した好適な実施形態として例示する家庭用薄葉紙収納容器を正面上方から見た斜視図であり、図２は、図１におけるXI−XI断面を含む蓋体の横断面図である。図３は、ロール状に丸められた取出部材の斜視図であり、図４は、展開された状態の取出部材を示す図である。図５は、図２の家庭用薄葉紙収納容器において、蓋体本体から取出部材が取り外された状態を示す図である。図６〜図９は、実施形態の家庭用薄葉紙収納容器における取出部に家庭用薄葉紙を挿通させる作業を説明するための図である。
【００１８】
本実施形態に係る家庭用薄葉紙収納容器２００は、例えば、図１〜図９に示すように、内側にロール状の家庭用薄葉紙Ｐ（例えば、ロール状に巻かれたウェットシートやウェットティッシュ等のロールペーパー）を収納する容器本体１１と、この容器本体１１に設けられた開口部１１ａを閉塞するように容器本体１１に着脱自在に取り付けられ、容器本体１１に収納された家庭用薄葉紙Ｐを取り出すための取出部２３１が形成された蓋体２１と、を備えて構成されている。
【００１９】
蓋体２１は、貫通部２２２を有する蓋体本体２２と、蓋体本体２２における当該貫通部２２２に着脱自在に取り付けられる取出部材２３と、を備えて構成されている。
【００２０】
蓋体本体２２は、上底部２２１を有するとともに下端部が開放された有底円筒状をなし、開放された下端部の内周面には容器本体１１の雄ネジ部１１ｂと螺合する雌ネジ部２２３が設けられている。容器本体１１と蓋体本体２２とは、当該雄ネジ部１１ｂ，雌ネジ部２２３により着脱自在に連結される（図８参照）。
【００２１】
蓋体本体２２の上底部２２１には、その略中央部に、当該蓋体本体１３が容器本体１１に取り付けられた状態で家庭用薄葉紙Ｐの取り出し方向（Ｚ軸方向）に貫通した貫通口２２２ａが形成された貫通部２２２が設けられ、貫通部２２２の周囲には、例えば、円筒状ないし環状のＺ軸方向上側（上方向）に突出する突起部２２４が設けられている。貫通口２２２ａは、容器本体１１の内部と外部とを連通するように略円形状に開口しており、上底部表面側の径が上底部裏面側の径よりも小さく形成されている。即ち、貫通口２２２ａは、蓋体２１が容器本体１１に取り付けられた状態で、容器本体側から反対側に（即ち、下方向から上方向に）漸次縮径する形状となっている（図５参照）。
【００２２】
取出部材２３は、図４に示すように、蓋体本体２２から取り外された状態で、帯状に展開可能に構成されており、展開された状態において、長手方向に沿った一方の縁部２３ａが鋸歯形状となっている。
この取出部材２３を左右方向に巻くと、図３に示すように、ロール状となる。そして、ロール状に丸められた取出部材２３を、鋸歯形状の縁部２３ａを上にして、容器本体１１の上底部２２１の裏面側（即ち、蓋体２１が容器本体１１に取り付けられた状態における容器本体側）から、貫通部２２２の貫通口２２２ａに挿入する。すると、図２に示すように、取出部材２３の形状が貫通口２２２ａの形状に合わせて変形し、下方向から上方向に漸次縮径する形状となって、ロール状に丸められた取出部材２３の外周面が貫通口２２２ａの内周面と接することとなる。
なお、取出部材２３が予め筒状に形成されていても良い。
また、トグルキャップ１５の下面には、係合突起１３４ａと係合する係合部１６が設けられている。
【００２３】
次に、実施形態２に係る家庭用薄葉紙収納容器２００における家庭用薄葉紙Ｐの詰め替え動作について説明する。
家庭用薄葉紙収納容器２００に家庭用薄葉紙Ｐを詰め替える場合、まず、家庭用薄葉紙Ｐを、容器本体１１の開口部１１ａからその内部に収納する。
次に、蓋体本体２２の貫通口２２２ａに取り付けられた取出部材２３を、蓋体本体２２の上底部２２１裏面側から取り外す。そして、取り外した取出部材２３を帯状に展開する。これにより、取出部材２３の内周面が露出することとなる（図４参照）。
次に、展開された取出部材２３の内周面に、１枚目の家庭用薄葉紙Ｐの一端を、取出部材２３の内側から外側（鋸歯形状の縁部２３ａ側）に向かうようにして配置する（図６参照）。そして、そのままの状態で取出部材２３を左右方向に巻き、ロール状とする（図７参照）。これにより、家庭用薄葉紙Ｐの一端が、取出部材２３に挿通された状態となる。
【００２４】
次に、家庭用薄葉紙Ｐの一端が挿通された状態のままで、ロール状に巻かれた取出部材２３を、容器本体１１の上底部２２１裏面側から、取出部材２３の外周が貫通口２２２ａの内周と接するようにして貫通口２２２ａに挿入する。さらに、貫通口２２２ａから上方に突出している家庭用薄葉紙Ｐの一端を摘み、上方に引き上げる。すると、取出部材２３の形状が貫通口２２２ａの形状に合わせて変形し、ロール状に丸められた取出部材２３の外周面が貫通口２２２ａの内周面と接して、取出部材２３が蓋体本体２２に取り付けられることとなる。さらに、取出部材２３が取り付けられた蓋体本体２２を容器本体１１に取り付ける（図８参照）。  これにより、容器本体１１内部に収納された家庭用薄葉紙Ｐが、蓋体２１に形成された取出部２３１から上方に突出した状態となり、家庭用薄葉紙収納容器２００からの家庭用薄葉紙Ｐの取り出しが可能となる。
【００２５】
次に、家庭用薄葉紙収納容器２００から家庭用薄葉紙Ｐを引き出して取り出す動作について説明する。
まず、トグルキャップ１５を開き、家庭用薄葉紙収納容器２００を開蓋された状態とする。開蓋された家庭用薄葉紙収納容器２００では、家庭用薄葉紙Ｐの端部が、取出部２３１から上方に僅かに突出した状態で保持されている。
そして、取出部２３１から突出している家庭用薄葉紙Ｐの一端を摘み、上方に引き上げる（図９参照）。このとき、貫通口２２２ａで係止されている取出部材２３における鋸歯形状の縁部２３ａによって、家庭用薄葉紙Ｐに摩擦抵抗が生じることとなる。これにより、当該取り出し中の家庭用薄葉紙Ｐと次の家庭用薄葉紙Ｐとの継ぎ目であるミシン目Ｐ１の部分まで引き出された際に、ミシン目Ｐ１に沿って家庭用薄葉紙Ｐが切り離されるとともに、後続の家庭用薄葉紙Ｐが、その先端が突出した状態で好適に保持されることとなる。
【００２６】
以上説明したように、実施形態に係る家庭用薄葉紙収納容器２００によれば、開口部１１ａを有し、内側に家庭用薄葉紙Ｐを収納する容器本体１１と、開口部１１ａを閉塞するように容器本体１１に着脱自在に取り付けられ、容器本体１１に収納された家庭用薄葉紙Ｐを取り出すための取出部２３１が形成された蓋体２１と、が備わり、蓋体２１には、容器本体１１に取り付けられた状態で家庭用薄葉紙Ｐの取り出し方向に貫通した貫通口２２２ａが形成された貫通部２２２を有する蓋体本体２２と、蓋体本体２２の貫通部２２２に着脱自在に取り付けられ、取出部２３１を構成する取出部材２３と、が備わる。また、取出部材２３は、蓋体本体２２から取り外された状態で、帯状に展開可能に構成されるとともに、ロール状に丸められた状態で蓋体本体２２に取り付けられる。
即ち、家庭用薄葉紙Ｐを取り出すための取出部２３１を構成する取出部材２３は、蓋体本体２２から取り外し可能であり、更に、蓋体本体２２から取り外された状態で帯状に展開可能であるとともに、ロール状に丸められた状態で蓋体本体２２に取り付けられる。したがって、蓋体本体２２から取り外した取出部材２３を帯状に展開して、展開された取出部材２３に家庭用薄葉紙Ｐを配置した後に、取出部材２３をロール状に丸めて蓋体本体２２に取り付けることにより、家庭用薄葉紙Ｐが取出部２３１に挿通された状態とすることができる。よって、取出部２３１の穴が小さい場合であっても、家庭用薄葉紙Ｐを容易に取出部２３１に挿入することができる。
【００２７】
また、貫通口２２２ａは、容器本体側から反対側に漸次縮径する形状となっている。
したがって、ロール状に丸めた取出部材２３を蓋体本体２２に容器本体１１側から取り付けた後に、家庭用薄葉紙Ｐを引き出す際、取出部材２３を貫通口２２２ａで係止させることができることとなって、貫通口２２２ａから家庭用薄葉紙のみを取り出すことができる。よって、取出部材２３の貫通部２２２ａへの固定が容易となり、家庭用薄葉紙収納容器２００の使い勝手が向上することとなる。
【００２８】
さらに、取出部材２３の長手方向の一方の縁部２３ａが鋸歯形状となっている。
したがって、家庭用薄葉紙Ｐを引き出す際に、鋸歯形状の縁部２３ａによって家庭用薄葉紙Ｐが摩擦抵抗を受け、後続の家庭用薄葉紙Ｐを好適に保持することができる。
【００２９】
なお、上記実施形態においては、家庭用薄葉紙Ｐをロール状とし、その家庭用薄葉紙Ｐが上下方向（Ｚ軸方向）に沿った軸心に巻かれた状態で容器本体１１に収納されている場合を例に説明したが、本発明はこれに限定されるものではなく、例えば、家庭用薄葉紙Ｐは、前後方向（Ｘ軸方向）や左右方向（Ｙ軸方向）の軸心に巻かれた状態で容器本体１１に収納されていてもよい。更に、層状に重ねられた状態で容器本体１１に収納されていても良い。
また、取出部材２３を貫通口２２２ａの形状に合った形状に巻くことができるように、取出部材２３に接着部を設けても良い。
【００３０】
また、その他、具体的な細部構造等についても適宜に変更可能であることは勿論である。
【符号の説明】
【００３１】
１１      容器本体
１１ａ    開口部
２００    家庭用薄葉紙収納容器
２１      蓋体
２２      蓋体本体
２２２    貫通部
２２２ａ  貫通口
２３      取出部材
２３１    取出部
２３ａ    縁部
Ｐ        家庭用薄葉紙
【図１】
2010047325.tif 000003
【図２】
2010047325.tif 000004
【図３】
2010047325.tif 000005
【図４】
2010047325.tif 000006
【図５】
2010047325.tif 000007
【図６】
2010047325.tif 000008
【図７】
2010047325.tif 000009
【図８】
2010047325.tif 000010
【図９】
2010047325.tif 000011